(57)【要約】  燃費予測装置（１００）は、所定区間における車両の燃料消費量を予測する。予測部（１０１）は、第１の数式を用いて所定区間の走行開始前に所定区間における燃料消費量を予測する。推定部（１０２）は、所定区間の走行中における車両の加速度を変数とする第２の数式を用いて、所定区間の走行中における燃料消費量を推定する。補正部（１０３）は、予測部（１０１）によって予測された燃料消費量と、推定部（１０２）によって推定された燃料消費量とに基づいて、第１の数式を補正する。
2010116492.tif 000002
【特許請求の範囲】
【請求項１】
所定区間における車両の燃料消費量を予測する燃費予測装置であって、
第１の数式を用いて前記所定区間の走行開始前に前記所定区間における前記燃料消費量を予測する予測手段と、
前記所定区間の走行中における前記車両の加速度を変数とする第２の数式を用いて、前記所定区間の走行中における前記燃料消費量を推定する推定手段と、
前記予測手段によって予測された前記燃料消費量と、前記推定手段によって推定された前記燃料消費量とに基づいて、前記第１の数式を補正する補正手段と、
を備えることを特徴とする燃費予測装置。
【請求項２】
前記第１の数式は、前記車両の速度を変数とする関数であり、
前記第２の数式は、前記車両の加速度および速度を変数とする関数であることを特徴とする請求項１に記載の燃費予測装置。
【請求項３】
あらかじめ保持した前記所定区間内の単位区間ごとの平均速度情報を取得する平均速度情報取得手段と、
前記車両の走行中における加速度情報および速度情報を取得する走行速度情報取得手段と、を備え、
前記予測手段は、前記平均速度情報取得手段によって取得された前記平均速度情報を用いて前記所定区間の走行開始前に前記燃料消費量を予測し、
前記推定手段は、前記走行速度情報取得手段によって取得された前記加速度情報および前記速度情報を用いて前記燃料消費量を推定することを特徴とする請求項２に記載の燃費予測装置。
【請求項４】
前記補正手段は、前記予測手段によって予測された前記燃料消費量と、前記推定手段によって推定された前記燃料消費量と、から補正係数を算出し、前記補正係数を前記第１の数式に付加することによって、前記第１の数式を補正することを特徴とする請求項１に記載の燃費予測装置。
【請求項５】
前記補正係数は、前記予測手段によって予測された前記燃料消費量と前記推定手段によって推定された前記燃料消費量との比であることを特徴とする請求項４に記載の燃費予測装置。
【請求項６】
前記補正手段は、前記所定区間の走行開始前に前記予測手段によって予測された燃料消費量と、前記所定区間の走行中に前記推定手段によって推定された前記燃料消費量との比を前記補正係数とすることを特徴とする請求項５に記載の燃費予測装置。
【請求項７】
前記予測手段は、前記所定区間の走行中において、前記走行速度情報取得手段によって取得された前記速度情報を前記第１の数式に代入して前記燃料消費量を再度算出し、
前記補正手段は、前記予測手段によって再度算出された前記燃料消費量と、前記所定区間の走行中に前記推定手段によって推定された前記燃料消費量との比を前記補正係数とすることを特徴とする請求項５に記載の燃費予測装置。
【請求項８】
前記補正手段は、前記所定区間の走行中において、前記車両が走行する道路の種別が変化しない場合に前記第１の数式を補正することを特徴とする請求項１に記載の燃費予測装置。
【請求項９】
前記予測手段は、前記第１の数式として下記式（１）を用いて前記燃料消費量を予測することを特徴とする請求項１に記載の燃費予測装置。
【数１】
2010116492.tif 000010
【請求項１０】
前記推定手段は、前記第２の数式として下記式（２）を用いて前記燃料消費量を推定することを特徴とする請求項１に記載の燃費予測装置。
【数２】
2010116492.tif 000011
【請求項１１】
所定区間における車両の燃料消費量を予測する燃費予測方法であって、
第１の数式を用いて前記所定区間の走行開始前に前記所定区間における前記燃料消費量を予測する予測工程と、
前記所定区間の走行中における前記車両の加速度を変数とする第２の数式を用いて、前記所定区間の走行中における前記燃料消費量を推定する推定工程と、
前記予測工程で予測された前記燃料消費量と、前記推定工程で推定された前記燃料消費量とに基づいて、前記第１の数式を補正する補正工程と、
を含んだことを特徴とする燃費予測方法。
【請求項１２】
請求項１１に記載の燃費予測方法をコンピュータに実行させることを特徴とする燃費予測プログラム。
【請求項１３】
請求項１２に記載の燃費予測プログラムを記録したことを特徴とするコンピュータに読み取り可能な記録媒体。
【発明の詳細な説明】
【技術分野】
【０００１】
この発明は、車両の燃料消費量を予測する燃費予測装置、燃費予測方法、燃費予測プログラムおよび記録媒体に関する。ただし、この発明の利用は、上述した燃費予測装置、燃費予測方法、燃費予測プログラムおよび記録媒体に限られない。
【背景技術】
【０００２】
従来、走行時における車両の燃料消費量を予測するため、様々な方法が考案されている（たとえば、下記特許文献１参照）。下記特許文献１は、燃料消費量の少ない経路を探索する技術であり、車種ごとに走行速度に応じた燃費情報を記憶しておき、リンクデータと燃費情報とを用いて、燃料消費量が最小のルートを計算する。また、下記特許文献１では、燃費検出センサから収集した燃費情報を走行速度と関連づけて記憶しておき、次回以降の燃費予測に用いる方法が開示されている。【０００３】
図１２は、車速と燃料消費量との関係を示すグラフである。図１２において、縦軸は燃料消費量であり、横軸は走行速度である。走行速度と燃料消費量との関係は、たとえば以下のような式で示されることが知られている。
ｆｃ  ＝  ｍ1＋ｍ2・ｘ2＋ｍ3・ｘ3＋ｍ4・ｘ
ここで、ｆｃは単位時間あたりの燃料消費量、ｘは単位区間の平均速度、ｍ1〜ｍ4は定数である。
【先行技術文献】
【特許文献】
【０００４】
【特許文献１】特開２００５−１７２５８２号公報
【発明の概要】
【発明が解決しようとする課題】
【０００５】
しかしながら、上述した従来技術では、燃料消費量を予測するにあたって、車両の加速度を考慮しておらず、予測精度が低いという問題点がある。車両の加速度は、燃料消費量に少なからず影響しており、たとえば、走行中の加速度が通常時と異なると、上述した従来技術では予測精度が悪くなってしまう。また、走行する道路の形状、勾配、運転方法（急発進など）によっても、実際の燃料消費量との間の誤差が大きくなる場合がある。また、カーブが多い道路を走行する際も、加減速の頻度が高いため予測精度が悪くなってしまう。
【課題を解決するための手段】
【０００６】
上述した課題を解決し、目的を達成するため、請求項１の発明にかかる燃費予測装置は、所定区間における車両の燃料消費量を予測する燃費予測装置であって、第１の数式を用いて前記所定区間の走行開始前に前記所定区間における前記燃料消費量を予測する予測手段と、前記所定区間の走行中における前記車両の加速度を変数とする第２の数式を用いて、前記所定区間の走行中における前記燃料消費量を推定する推定手段と、前記予測手段によって予測された前記燃料消費量と、前記推定手段によって推定された前記燃料消費量とに基づいて、前記第１の数式を補正する補正手段と、を備えることを特徴とする。【０００７】
また、請求項１１の発明にかかる燃費予測方法は、所定区間における車両の燃料消費量を予測する燃費予測方法であって、第１の数式を用いて前記所定区間の走行開始前に前記所定区間における前記燃料消費量を予測する予測工程と、前記所定区間の走行中における前記車両の加速度を変数とする第２の数式を用いて、前記所定区間の走行中における前記燃料消費量を推定する推定工程と、前記予測工程で予測された前記燃料消費量と、前記推定工程で推定された前記燃料消費量とに基づいて、前記第１の数式を補正する補正工程と、を含んだことを特徴とする。【０００８】
また、請求項１２の発明にかかる燃費予測プログラムは、請求項１１に記載の燃費予測方法をコンピュータに実行させることを特徴とする。【０００９】
また、請求項１３の発明にかかる記録媒体は、請求項１２に記載の燃費予測プログラムをコンピュータに読み取り可能な状態で記録したことを特徴とする。
【図面の簡単な説明】
【００１０】
【図１】実施の形態にかかる燃費予測装置の機能的構成を示すブロック図である。
【図２】燃費予測装置による燃費予測処理の手順を示すフローチャートである。
【図３】ナビゲーション装置のハードウェア構成を示すブロック図である。
【図４】ナビゲーション装置による燃料消費量の予測処理の一例を模式的に示した説明図である。
【図５】ナビゲーション装置による燃料消費量の予測処理の一例を模式的に示した説明図である。
【図６】ナビゲーション装置が保持する係数テーブルを示す説明図である。
【図７】係数ｋ1と排気量との関係を示すグラフである。
【図８】係数ｋ2と車重との関係を示すグラフである。
【図９】係数ｋ3と排気量との関係を示すグラフである。
【図１０】勾配がある道路を走行する車両にかかる加速度を模式的に示した説明図である。
【図１１】ナビゲーション装置３００による燃費予測処理の手順を示すフローチャートである。
【図１２】車速と燃料消費量との関係を示すグラフである。
【発明を実施するための形態】
【００１１】
以下に添付図面を参照して、この発明に係る燃費予測装置、燃費予測方法、燃費予測プログラムおよび記録媒体の好適な実施の形態を詳細に説明する。
【００１２】
（実施の形態）
図１は、実施の形態にかかる燃費予測装置の機能的構成を示すブロック図である。燃費予測装置１００は、予測部１０１、推定部１０２、補正部１０３、平均速度情報取得部１０４、走行速度情報取得部１０５によって構成され、所定区間における車両の燃料消費量を予測する。ここで、所定区間とは、たとえば、ユーザによって設定された出発地点と目的地点とを結ぶ経路である。以下、燃費予測装置１００が燃料消費量を予測する区間を「予測対象区間」という。
【００１３】
予測部１０１は、車両が予測対象区間の走行を開始する前に、第１の数式を用いて燃料消費量を予測する。第１の数式とは、車両の速度を変数とする関数であり、具体的には、たとえば下記式（１）である。なお、下記式（１）を用いて算出される燃料消費量は、瞬間燃費量である。このため、予測対象区間を走行する際に消費する総燃料消費量は、下記式（１）の値を積算して求める。
【００１４】
【数１】
2010116492.tif 000003
【００１５】
予測部１０１は、後述する平均速度情報取得部１０４によって取得された平均速度情報（予測対象区間内の単位区間ごとの平均速度情報）を、第１の数式に代入して燃料消費量を予測する。また、予測部１０１は、予測対象区間の走行中において、後述する走行速度情報取得部１０５によって取得された速度情報を第１の数式に代入して燃料消費量を再度算出してもよい。
【００１６】
推定部１０２は、予測対象区間の走行中における車両の加速度を変数とする第２の数式を用いて、予測対象区間の走行中における燃料消費量を推定する。第２の数式は、車両の加速度および速度を変数とする関数であり、具体的には、たとえば下記式（２）である。なお、下記式（２）を用いて算出される燃料消費量は、瞬間燃費量である。このため、予測対象区間を走行する際に消費する総燃料消費量は、下記式（２）の値を積算して求める。
【数２】
2010116492.tif 000004
【００１７】
なお、上記式（２）においては、時を表す単位として時間（ｈ）および秒（ｓ）が混在して用いられているが、これは、速度の単位として時速（ｋｍ／ｈ）を採用し、燃料消費量を推定する際の単位時間として秒（ｓ）を採用したためである。これらの単位を揃えたい場合は、それぞれの数値に適宜演算をおこなえばよい。
【００１８】
補正部１０３は、予測部１０１によって予測された燃料消費量と、推定部１０２によって推定された燃料消費量とに基づいて、第１の数式を補正する。補正部１０３は、たとえば、予測部１０１によって予測された燃料消費量と、推定部１０２によって推定された燃料消費量と、から補正係数を算出し、算出した補正係数を第１の数式に付加することによって第１の数式を補正する。補正係数は、たとえば、予測部１０１によって予測された燃料消費量と推定部１０２によって推定された燃料消費量との比である。この場合、補正係数ｈは、下記式（３）のように示される。なお、下記式（３）のΣは、車両が走行する区間の瞬間燃費量を積算していることを表す。
【数３】
2010116492.tif 000005
【００１９】
補正部１０３は、たとえば、予測対象区間の走行開始前に予測部１０１によって予測された燃料消費量と、予測対象区間の走行中に推定部１０２によって推定された燃料消費量との比を補正係数とする。また、たとえば、予測対象区間の走行中において、予測部１０１が走行中における速度情報（走行速度情報取得部１０５によって取得された速度情報）を第１の数式に代入して燃料消費量を再度算出した場合、補正部１０３は、再度算出された燃料消費量と、推定部１０２によって推定された燃料消費量との比を補正係数とするようにしてもよい。
【００２０】
また、補正部１０３は、たとえば、予測対象区間の走行時において車両が走行する道路の種別が、所定の間、たとえば所定距離以上または所定時間以上変化しない場合に、上記式（１）を補正するようにしてもよい。これは、これは、道路の種別が変化してしまうと、車両の速度や加速度が大きく変化する可能性があり、それまでの走行における加速度情報や速度情報を用いると、推定燃費量の精度が低下してしまう可能性があるためである。また、補正部１０３は、たとえば、予測対象区間の走行時において所定時間ごとに上記式（１）を補正してもよい。
【００２１】
平均速度情報取得部１０４は、予測対象区間内の単位区間ごとの平均速度情報を取得する。単位区間とは、たとえば、地図データ中におけるリンクである。また、平均速度情報とは、単位区間の距離を、その単位区間を通過するのにかかる平均所要時間で除した数値である。平均速度情報取得部１０４は、たとえば地図データに含まれる平均速度情報を読み出すことによって、平均速度情報を取得する。
【００２２】
走行速度情報取得部１０５は、車両の走行中における車両の加速度情報および速度情報を取得する。走行速度情報取得部１０５は、たとえば、車両本体に設置された加速度センサや速度センサから出力される加速度情報および速度情報を取得する。なお、速度センサや加速度センサが燃費予測装置１００に備えられている場合には、これらのセンサから加速度情報や速度情報を取得してもよい。また、たとえば、走行速度情報取得部１０５そのもので加速度や速度を計測（または算出）できるようにしてもよい。
【００２３】
図２は、燃費予測装置による燃費予測処理の手順を示すフローチャートである。図２のフローチャートにおいて、燃費予測装置１００は、予測対象区間の走行を開始する前に、平均速度情報取得部１０４によって、予測対象区間の平均速度情報を取得して（ステップＳ２０１）、予測部１０１によって、予測対象区間における燃料消費量を第１の数式を用いて予測する（ステップＳ２０２）。
【００２４】
燃費予測装置１００は、車両が走行を開始するまで待機して（ステップＳ２０３：Ｎｏのループ）、車両が走行を開始すると（ステップＳ２０３：Ｙｅｓ）、走行速度情報取得部１０５によって、車両の加速度情報および速度情報を取得する（ステップＳ２０４）。つづいて、燃費予測装置１００は、推定部１０２によって車両の走行中における燃料消費量を第２の数式を用いて推定する（ステップＳ２０５）。
【００２５】
そして、燃費予測装置１００は、補正部１０３によって補正係数を算出し（ステップＳ２０６）、予測部１０１が燃料消費量の予測に用いる第１の数式を補正する（ステップＳ２０７）。ステップＳ２０６で算出される補正係数は、たとえば、予測対象区間の走行開始前に予測部１０１によって予測された燃料消費量と、予測対象区間の走行中に推定部１０２によって推定された燃料消費量との比である。また、補正係数は、たとえば、実際の走行における速度情報（ステップＳ２０４で取得された速度情報）を上記式（１）に代入して再度算出した燃料消費量と、推定部１０２によって推定された燃料消費量との比であってもよい。
【００２６】
予測部１０１は、ステップＳ２０７で補正された第１の数式を用いて燃料消費量を再度予測する（ステップＳ２０８）。より詳細には、補正された上記式（１）に、残りの予測対象区間の平均速度情報を代入することにより、残りの予測対象区間の燃料消費量を算出する。
【００２７】
車両が推定対象区間の走行を終了するまでは（ステップＳ２０９：Ｎｏ）、燃費予測装置１００は、ステップＳ２０４に戻り、以降の処理を継続する。一方、車両が推定対象区間の走行を終了すると（ステップＳ２０９：Ｙｅｓ）、燃費予測装置１００は、本フローチャートによる処理を終了する。
【００２８】
以上説明したように、燃費予測装置１００は、燃料消費量の予測に用いる数式を、実際の走行時における加速度情報や速度情報を用いた燃料消費量の推定値で補正する。これにより、車両の加速度を考慮して燃料消費量を予測することが可能となり、たとえば、カーブが多い道路や傾斜が大きい道路など、加速度の変化が大きい道路を走行する場合でも精度良く燃料消費量を予測することができる。
【００２９】
また、燃費予測装置１００は、車両が走行を開始した後は、車両の速度情報および加速度情報、車両が走行する道路の勾配情報を用いた上記式（２）によって燃料消費量を推定する。このため、燃費予測装置１００は、車両の走行速度や加速度の変化、車両にかかる位置エネルギーの変化を燃料消費量の予測値に反映させることができ、より精度良く燃料消費量を予測することができる。
【実施例】
【００３０】
以下に、本発明の実施例について説明する。本実施例では、車両に搭載されたナビゲーション装置３００を燃費予測装置１００として本発明を適用した場合の一例について説明する。【００３１】
（ナビゲーション装置３００のハードウェア構成）
まず、ナビゲーション装置３００のハードウェア構成について説明する。図３は、ナビゲーション装置のハードウェア構成を示すブロック図である。図３において、ナビゲーション装置３００は、ＣＰＵ３０１、ＲＯＭ３０２、ＲＡＭ３０３、磁気ディスクドライブ３０４、磁気ディスク３０５、光ディスクドライブ３０６、光ディスク３０７、音声Ｉ／Ｆ（インターフェース）３０８、マイク３０９、スピーカ３１０、入力デバイス３１１、映像Ｉ／Ｆ３１２、ディスプレイ３１３、カメラ３１４、通信Ｉ／Ｆ３１５、ＧＰＳユニット３１６、各種センサ３１７を備えている。また、各構成部３０１〜３１７は、バス３２０によってそれぞれ接続されている。【００３２】
まず、ＣＰＵ３０１は、ナビゲーション装置３００の全体の制御を司る。ＲＯＭ３０２は、ブートプログラム、経路探索プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。【００３３】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。【００３４】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどを用いることができる。【００３５】
磁気ディスク３０５および光ディスク３０７に記録される情報の一例としては、コンテンツデータや地図データが挙げられる。コンテンツデータは、たとえば楽曲データや静止画データ、動画データなどである。また、地図データは、建物、河川、地表面などの地物（フィーチャ）を表す背景データと、道路の形状を表す道路形状データとを含んでおり、地区ごとに分けられた複数のデータファイルによって構成されている。【００３６】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。スピーカ３１０からは、所定の音声信号を音声Ｉ／Ｆ３０８内でＤ／Ａ変換した音声が出力される。【００３７】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか１つの形態によって実現されてもよいが、複数の形態によって実現することも可能である。【００３８】
映像Ｉ／Ｆ３１２は、ディスプレイ３１３に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。【００３９】
カメラ３１４は、車両内部あるいは外部の画像を撮影する。画像は静止画像あるいは動画像のどちらでもよく、たとえば、カメラ３１４によって車両外部の風景や地物、車両内部の搭乗者などを撮影し、撮影した映像を映像Ｉ／Ｆ３１２を介して磁気ディスク３０５や光ディスク３０７などの記録媒体に記録する。【００４０】
ディスプレイ３１３には、アイコン、カーソル、メニュー、ウインドウ、あるいは文字や画像などの各種データが表示される。ディスプレイ３１３には、上述した地図データが、２次元または３次元に描画される。ディスプレイ３１３に表示された地図データには、ナビゲーション装置３００を搭載した車両の現在位置を表すマークなどを重ねて表示することができる。車両の現在位置は、ＣＰＵ３０１によって算出される。ディスプレイ３１３としては、たとえば、ＴＦＴ液晶ディスプレイ、有機ＥＬディスプレイなどを用いることができる。【００４１】
通信Ｉ／Ｆ３１５は、無線を介してインターネットなどの通信網に接続され、この通信網とＣＰＵ３０１とのインターフェースとしても機能する。また、通信Ｉ／Ｆ３１５は赤外線通信やＢｌｕｅｔｏｏｔｈ（登録商標）などの近距離通信によって、近傍にある電子機器との間でデータの送受信をおこなう。また、通信Ｉ／Ｆ３１５は、テレビやラジオなどの放送波を受信する。通信Ｉ／Ｆ３１５で受信された放送波は、音声Ｉ／Ｆ３０８や映像Ｉ／Ｆ３１２を介して、スピーカ３１０やディスプレイ３１３に、音声情報や画像情報として出力される。【００４２】
ＧＰＳユニット３１６は、ＧＰＳ衛星からの電波を受信し、車両の現在位置を示す情報を出力する。ＧＰＳユニット３１６の出力情報は、後述する各種センサ３１７の出力値とともに、ＣＰＵ３０１による車両の現在位置の算出に際して利用される。現在位置を示す情報とは、たとえば緯度・経度、高度などの、地図データ上の１点を特定する情報である。【００４３】
各種センサ３１７は、車速センサ、加速度センサ、角速度センサなどの、車両の位置や挙動を判断するための情報を出力する。各種センサ３１７の出力値は、ＣＰＵ３０１による車両の現在位置の算出や、速度や方位の変化量の算出に用いられる。【００４４】
なお、図１に示した燃費予測装置１００の予測部１０１、推定部１０２、補正部１０３、平均速度情報取得部１０４、走行速度情報取得部１０５は、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００４５】
（ナビゲーション装置３００による燃費推定の概要）
つぎに、ナビゲーション装置３００による燃費予測処理について説明する。なお、以下の説明において、「燃料消費量」と「燃費量」とは同じ意味を表す。一般に、ナビゲーション装置３００は、指定されたユーザによって設定された出発地点と目的地点とを結ぶ経路を探索する機能を有するが、本実施の形態にかかるナビゲーション装置３００は、これに加えて、探索した経路の走行中に消費する燃料消費量を予測する機能を有する。より詳細には、ナビゲーション装置３００は、車両が経路の走行を開始する前に、この経路を走行する際に消費する燃料消費量を第１の数式を用いて予測するとともに、経路の走行を開始した後は、車両の実際の速度情報や加速度情報を変数とする第２の数式を用いて経路における実際の燃料消費を推定する。そして、燃料消費量の推定値を用いて、燃費予測式（第１の数式）を補正する。【００４６】
［走行開始前の燃料消費量予測］
ナビゲーション装置３００は、車両が経路の走行を開始する前に、この経路を走行する際に消費する燃料消費量を予測する。具体的には、ナビゲーション装置３００は、下記式（１）を用いて燃料消費量を算出する。下記式（１）を「燃費予測式」といい、下記式（１）を用いて算出された燃料消費量を「予測燃費量」という。下記式（１）のｈは補正係数であり、走行開始前においてはたとえばｈ＝１とする。
【数４】
2010116492.tif 000006
【００４７】
上記式（１）は速度ｘを独立変数としているが、走行を開始する前には実際の走行速度はわからないため、経路における平均走行速度を速度ｘとする。平均走行速度は、たとえば経路の距離を、経路を通過するのにかかる平均所要時間で除して算出する。ある区間を通過するのにかかる平均所要時間は、たとえば、ナビゲーション装置３００内にデータベースとして記録されている平均所要時間データを用いる。なお、経路を所定数の区間（たとえば単位区間であるノードごとなど）に区切り、区間ごとに平均走行速度を算出してもよい。【００４８】
［走行開始後の燃料消費量推定］
車両が走行を開始すると、ナビゲーション装置３００は、車両の加速度情報および速度情報をリアルタイムに取得して、実際の走行状態を反映した燃料消費量を算出する。具体的には、ナビゲーション装置３００は、下記式（２）を用いて、車両の加速度を考慮した燃料消費量を算出する。下記式（２）を「燃費推定式」といい、下記式（２）を用いて算出された燃料消費量を「推定燃費量」という。なお、燃費推定式は、下記式（２）に限定されるものではなく、車両の加速度情報および速度情報をリアルタイムに取得して燃料消費量を推定できるものであればよい。
【数５】
2010116492.tif 000007
【００４９】
なお、上記式（２）においては、時を表す単位として時間（ｈ）および秒（ｓ）が混在して用いられているが、これは、速度の単位として時速（ｋｍ／ｈ）を採用し、燃料消費量を推定する際の単位時間として秒（ｓ）を採用したためである。これらの単位を揃えたい場合は、それぞれの数値に適宜演算をおこなえばよい。【００５０】
また、ナビゲーション装置３００は、上記式（１）を用いて算出した予測燃費量と、上記式（２）を用いて推定した第２の推定燃費量との比から、下記式（３）に示す補正係数ｈを算出する。
【数６】
2010116492.tif 000008
【００５１】
ナビゲーション装置３００は、算出した補正係数ｈを上記式（１）に代入して燃費予測式を補正し、補正後の燃費予測式を用いて残りの経路走行時の燃料消費量を再度予測する（燃料消費量の補正）。これにより、実際の走行における加速度や速度を反映した燃料消費量を予測することができる。車両の燃料消費量は、車両の加速度に少なからず影響される。ナビゲーション装置３００のように、実際の加速度情報を用いて燃料消費量を補正することにより、より精度良く燃料消費量を予測することができる。【００５２】
なお、燃費予測式の補正は、所定のタイミング、たとえば１０分ごとなど、所定時間ごとにおこなう。また、たとえば、車両が走行する道路の種別が所定時間以上、または所定距離以上変化しない場合に燃費予測式の補正をおこなうようにしてもよい。これは、道路の種別が変化してしまうと、車両の速度や加速度が大きく変化する可能性があり、それまでの走行における加速度情報や速度情報を用いると推定の精度が低下してしまう可能性があるためである。【００５３】
［燃料消費量の予測処理の具体例］
＜第１の方法＞
図４および図５は、ナビゲーション装置による燃料消費量の予測処理の一例を模式的に示した説明図である。たとえば、出発地点Ａを出発し地点Ｂを経由して目的地点Ｃに至る経路Ｒを走行する場合、ナビゲーション装置３００は、図４に示すように、経路Ｒの走行開始前に上記式（１）を用いて予測燃費量Ｌ1ACを算出する。【００５４】
より詳細には、ナビゲーション装置３００は、Ａ−Ｂ間の予想所要時間ＴABおよび平均走行速度ＶABを用いて、Ａ−Ｂ間における予測燃費量Ｌ1ABを算出する。Ｌ1ABは、上記式（１）を用いて下記式（４）で示される。また、ナビゲーション装置３００は、Ｂ−Ｃ間の予想所要時間ＴBCおよび平均走行速度ＶBCを用いて、Ｂ−Ｃ間における予測燃費量Ｌ1BCを算出する。Ｌ1BCは、上記式（１）を用いて下記式（５）で示される。経路Ｒを走行する際の燃料消費量ＬACは、Ｌ1ABおよびＬ1BCを用いて下記式（６）で示される。なお、下記式（４）および（５）において、ｈ1は出発地点Ａにおける補正係数であり、ｈ1＝１である。
Ｌ1AB＝ｈ1・ＴAB・ｆｃ1（ＶAB）  ・・・（４）
Ｌ1BC＝ｈ1・ＴBC・ｆｃ1（ＶBC）  ・・・（５）
ＬAC＝Ｌ1AB＋Ｌ1BC  ・・・（６）【００５５】
図５の説明に移り、車両が走行を開始すると、ナビゲーション装置３００は、実際の車両の加速度情報および速度情報を取得して、上記式（２）を用いて推定燃費量を算出する。推定燃費量は瞬間燃費量であるため、Ａ−Ｂ間の瞬間燃費量を積算することによりＡ−Ｂ間の燃料消費量を算出することができる。具体的には、Ａ−Ｂ間の推定燃費量Ｌ2ABは、下記式（７）で示される。下記式（７）において、ｖABは実際の速度情報であり、ΣはＡ−Ｂ間のｆｃ2の値を積算していることを示す。
Ｌ2AB＝Σｆｃ2（ｖAB）  ・・・（７）【００５６】
また、ナビゲーション装置３００は、上記式（１）を用いて、実際の速度情報に基づく予測燃費量を算出する。たとえば、地点Ｂに到達した場合、Ａ−Ｂ間の実際の所要時間ｔABおよびＡ−Ｂ間の実際の速度ｖABの平均値ｖAB_av（Ａ−Ｂ間の平均速度）を用いて、下記式（８）に示す予測燃費量Ｌ1rABを算出する。
Ｌ1rAB＝ｈ1・ｔAB・ｆc1（ｖAB_av）  ・・・（８）【００５７】
そして、下記式（９）に示すように、実際の速度情報から算出した予測燃費量と推定燃費量との比を補正係数ｈ2とする。これにより、平均速度から算出した燃料消費量と実際の速度や加速度を考慮した燃料消費量との関係を適切に補正することができる。
ｈ2  ＝  Ｌ1rAB／Ｌ2AB  ・・・（９）【００５８】
ナビゲーション装置３００は、このように算出した補正係数ｈ2を上記式（１）に適用して、Ｂ−Ｃ間の燃料消費量（予測燃費量）を再度予測する。再度予測推定されたＢ−Ｃ間の予測燃費量Ｌ1hBCは、下記式（１０）で示される。また、Ａ−Ｂ間の燃料消費量は、上記式（７）の値（Ｌ2AB）を用いる。これにより、あらたに推定された経路Ｒの燃料消費量ＬACは、下記式（１１）で示される。
Ｌ1hBC＝ｈ２・ＴBC・ｆｃ１（ＶBC）  ・・・（１０）
ＬAC＝Ｌ2AB＋Ｌ1hBC＝Σｆｃ2（ｖAB）＋ｈ2・ＴBC・ｆｃ1（ＶBC）・・・（１１）【００５９】
＜第２の方法＞
上述した第１の方法では、ナビゲーション装置３００は、走行開始後に実際の速度情報を用いて再度予測燃費量を予測して補正係数を算出したが、走行開始前に予測した予測燃費量をそのまま用いて補正係数を算出してもよい。すなわち、Ｂ地点においてＡ−Ｂ間の推定燃費量Ｌ2AB（上記式（７））を算出し、Ａ地点で算出したＡ−Ｂ間における予測燃費量Ｌ1AB（上記式（４））との比を補正係数としてもよい。この場合、補正係数ｈ3は下記式（１２）で示される。
ｈ3  ＝  Ｌ1AB／Ｌ2AB  ・・・（１２）【００６０】
上記の第１の方法は、Ａ−Ｃ間の道路にカーブが多い場合に有効である。カーブが多い道路では、走行速度に変化がない場合であっても加減速が多くなり、加速度が大きくなるため、上記式（２）で算出する推定燃費量の値が大きくなる。この場合、実際の速度情報を上記式（１）に代入し、再度予測燃費量を予測して補正係数を算出することによって、道路のカーブの影響を考慮した補正をおこなうことができる。【００６１】
一方、第２の方法は、Ａ−Ｃ間の道路で渋滞が多く発生している場合に有効である。渋滞が発生している道路では車両の走行速度が遅くなるため、上記式（２）で算出する推定燃費量の値は小さくなる。しかしながら、渋滞の影響によって低速で走行した場合と、単に低速で走行した場合とでは、燃料消費量への影響が異なってくる。このため、第２の方法のように、平均速度情報を用いて予測した燃料消費量をそのまま用いることによって、渋滞の影響を考慮した補正をおこなうことができる。【００６２】
なお、第１の方法および第２の方法のいずれを採用するかは任意であるが、たとえば経路を探索した際に、経路上のリンク形状データを参照して、曲率が所定率以上の場合には第１の方法を採用するようにしてもよい。また、たとえば、経路上の渋滞情報を参照して、渋滞が発生している区間では第２の方法を採用するようにしてもよい。また、同一の経路上で、区間によって第１の方法および第２の方法を切り替えるようにしてもよい。また、上記の第１の方法および第２の方法を採用するにしても、たとえば予測対象区間の走行時において、車両が走行する道路の種別が変化しない場合に上記式（１）を補正するようにしてもよい。【００６３】
（第２の推定燃費量の推定式について）
つぎに、第２の推定燃費量の推定式である上記式（２）の詳細について説明する。上記式（２）は、車両のアイドリング時に関する情報、車両の加速時に関する情報および車両の走行時に生じる抵抗に関する情報のみを変数として用いることにより、精度の高い燃料消費量を安定して算出することができる式である。以下にその詳細を説明する。【００６４】
［係数ｋ1〜ｋ3について］
まず、上記式（２）の係数ｋ1〜ｋ3について説明する。図６は、ナビゲーション装置が保持する係数テーブルを示す説明図である。図６に示す係数テーブル６００には、車両の車種を識別する車種名称６０１および車種ごとの形式を示す形式情報６０２が記録されており、それぞれの車種および形式に対応する係数の値（ｋ1〜ｋ3）６０６が記録されている。また、それぞれの車種名称６０１および形式情報６０２には、排気量情報６０３、車重情報６０４、モード燃費情報６０５が関連づけられている。【００６５】
係数ｋ1〜ｋ3は、車種および形式によって異なり、ナビゲーション装置３００は、自装置が搭載された車両に対応する係数ｋ1〜ｋ3の値を係数テーブル６００から読み出す。具体的には、ナビゲーション装置３００は、たとえば、自装置が搭載された車両の車種および形式が判別できる場合には、車種名称６０１および形式情報６０２から該当するものを選択し、その車種名称６０１および形式情報６０２に関連づけられた係数の値を読み出す。【００６６】
また、車両の車種および形式が判別できない場合、ナビゲーション装置３００は、車両の排気量や車重が判別できる場合には、排気量情報６０３および車重情報６０４から該当するものを選択して、その排気量情報６０３および車重情報６０４に関連づけられた係数の値を読み出す。また、車両の概算燃費が判別できる場合には、モード燃費情報６０５から該当するものを選択し、そのモード燃費情報６０５に関連づけられた係数の値を読み出す。【００６７】
なお、上記は車両の車種および形式が判別できない場合に、排気量情報や概算燃費を用いて係数の読み出しをおこなう例であるが、これに限定されるものではない。車両の車種や形式が判別できる場合においても、たとえば、自然吸気ガソリン、ディーゼルエンジン、ターボエンジンなどのデータや、概算燃費、車重、排気量などの情報を用いて、類似する車種や形式に対応する係数の値を読み出してもよい。【００６８】
つぎに、係数ｋ1〜ｋ3のそれぞれの意味について説明する。ｋ1は、アイドリング時（停止時）の燃料消費量を示す係数である。また、ｋ2は、加速時の燃料消費量を示す係数である。また、ｋ3は、車両の走行時に生じる抵抗に基づく係数である。車両の走行時に生じる抵抗には、車体にかかる空気抵抗と転がり抵抗があり、このうち転がり抵抗は、タイヤの回転に伴って生じる抵抗やエンジン内部での回転に伴って生じる抵抗などが含まれる。【００６９】
図７は、係数ｋ1と排気量との関係を示すグラフであり、縦軸は係数ｋ1、横軸は排気量を示す。図７に示すように、係数ｋ1と排気量とは正の相関がある。すなわち、一般に、排気量が多い車両ほどアイドリング時の燃料消費量は多いことが知られており、係数ｋ1はアイドリング時の燃料消費量を反映させた係数であることがわかる。【００７０】
図８は、係数ｋ2と車重との関係を示すグラフであり、縦軸は係数ｋ2、横軸は車重を示す。図８に示すように、係数ｋ2と車重とは正の相関がある。すなわち、一般に、車重が重いほど加速時の燃料消費量は多いことが知られており、係数ｋ2は加速時の燃料消費量を反映させた係数であることがわかる。【００７１】
図９は、係数ｋ3と排気量との関係を示すグラフであり、縦軸は係数ｋ3、横軸は排気量を示す。図９に示すように、係数ｋ3と排気量との間には相関がみられない。これは、ｋ3は車両の走行時に生じる抵抗に基づく係数であり、排気量よりも車両の形状などに相関を有するためである。【００７２】
［係数ｋ1〜ｋ3のデータベース化方法］
つづいて、係数ｋ1〜ｋ3の値をデータベース化するまでの流れについて説明する。図６に示すような係数テーブル（係数のデータベース）は、たとえば以下のような手順で構築する。【００７３】
＜手順１＞
標準的な車種の実走行データを計測し、下記式（α）に実走行データを代入する。実走行データを代入した下記式（α）を重回帰分析して、係数ｋ1，ｋ2，ｋ3，ｋ4，ｋ5を求める。ここで、ｋ1はアイドリング時の燃料消費量に基づく係数、ｋ2は加速時における燃料消費量に基づく係数、ｋ3は空気抵抗と転がり抵抗に基づく係数、ｋ4，ｋ5はエンジンのトルク特性と伝達効率による係数である。また、下記式（α）において、ｆｃ：燃料消費量（ｃｃ／ｓｅｃ）、ｘ：車速（ｋｍ／ｈ）、ｄｘ／ｄｔ＋ｇ・ｓｉｎθ：合成加速度（車速加速度と重力の加速度）である。
ｆｃ（ｘ）＝ｋ1＋ｋ2・（ｄｘ／ｄｔ＋ｇ・ｓｉｎθ）・ｘ＋ｋ3・ｘ3＋ｋ4・ｘ2＋ｋ5・ｘ  ・・・（α）【００７４】
＜手順２＞
手順１で求めたｋ1〜ｋ5のうち、ｋ3〜ｋ5を用いて上記式（２）のａ1，ａ2を求める。ａ1，ａ2はほとんどの車種に共通した値となるため、これを定数化することによりパラメータの数を減らすことができる。具体的には、ａ1＝ｋ4／ｋ3，ａ2＝ｋ5／ｋ3とする。【００７５】
＜手順３＞
標準的な車種以外の車種の係数ｋ1〜ｋ3については、下記式（β）を用いて実走行データを重回帰分析する。下記式（β）ではパラメータが３つに絞られている。そして、車種ごとや排気量ごと、エンジン形式ごとなどに求められた係数ｋ1〜ｋ3をデータベース化する。
ｆｃ（ｘ）＝ｋ1＋ｋ2・（ｄｘ／ｄｔ＋ｇ・ｓｉｎθ）・ｘ＋ｋ3・（ｘ3＋ａ1・ｘ2＋ａ2・ｘ）・・・（β）【００７６】
［道路勾配θについて］
つぎに、上記式（２）の右辺第２項の道路勾配θについて説明する。図１０は、勾配がある道路を走行する車両にかかる加速度を模式的に示した説明図である。図１０に示すように、勾配がθの坂道を走行する車両には、車両の走行に伴う加速度（ｄｘ／ｄｔ）Ａと、重力加速度ｇの進行方向成分（ｇ・ｓｉｎθ）Ｂがかかる。上記式（２）の右辺第２項は、この車両の走行に伴う加速度Ａと、重力加速度ｇの進行方向成分Ｂの合成加速度Ｃを示している。【００７７】
道路勾配θを考慮せずに燃費の推定をおこなった場合、道路勾配θが小さい領域では推定した燃費と実燃費との誤差が小さいが、道路勾配θが大きい領域では推定した燃費と実燃費との誤差が大きくなってしまう。このため、ナビゲーション装置３００では、道路勾配を考慮して燃費の推定をおこなっている。【００７８】
車両が走行する道路の勾配は、たとえば、ナビゲーション装置３００に搭載された傾斜計を用いて知ることができる。また、ナビゲーション装置３００に傾斜計が搭載されていない場合は、たとえば、地図データに含まれる道路の勾配情報を用いることができる。【００７９】
また、地図データに勾配情報が含まれていない場合には、地図データ中の標高データを用いて、あるいはナビゲーション装置が三次元測位可能なものであれば測位結果の標高情報を用いて、勾配がある区間における燃料消費量を推定することができる。具体的には、下記式（１３）のような近似式を用いて、勾配がある区間における燃料消費量（勾配区間燃料消費量）を推定する。
勾配区間燃料消費量  ＝  勾配が常に０の場合の区間燃料消費量＋ｋ2・ｇ・（区間終点標高−区間始点標高）・・・（１３）【００８０】
上記式（２）の右辺第１項の「（勾配が常に０の場合の）区間燃料消費量」は、当該区間における瞬間燃料消費量（上記式（２）の値）を積算した値である。また、右辺第２項の（区間終点標高−区間始点標高）は、位置エネルギーの変化量を示す。上記式（１４）が勾配がある区間における燃料消費量を近似できることは、以下のように示される。【００８１】
区間燃料消費量  ＝Σｆｃ・ΔＴ
＝Σ｛ｋ１＋ｋ２・ｘ・（ｄｘ／ｄｔ＋ｇ・ｓｉｎθ）＋ｋ３・Ｇ（ｘ）｝ΔＴ
＝ｋ１・ΣΔＴ＋ｋ２・Σｘ（ｄｘ／ｄｔ＋ｇ・ｓｉｎθ）ΔＴ＋ｋ３・ΣＧ（ｘ）ΔＴ・・・（１４）
ここで、上記式（１４）の第２項に注目すると、
ΣＶ（ｄｘ／ｄｔ＋ｇ・ｓｉｎθ）ΔＴ＝Σｘ・ｄｘ／ｄｔ・ΔＴ＋ｇ・Σ（ｘ・ｓｉｎθ）ΔＴ・・・（１５）
と分解でき、上記式（１５）の右辺第２項の「Σ（ｘ・ｓｉｎθ）ΔＴ」は区間での標高方向の移動量であることがわかる。上記式（１５）の右辺第１項は、勾配が常に０と見なしたときの加速エネルギーに対する燃料消費量なので、傾斜に関係しない他の項とまとめることにより、「傾斜を常に０として計算した区間推定値」とすることができる。よって、傾斜計がなくても、対象区間の始点と終点の緯度と経度が得られれば、標高データを参照することで道路勾配を考慮した燃費推定が可能となる。あるいはナビゲーション装置が三次元測位可能なものであれば対象区間の始点と終点の標高情報を直接参照することで道路勾配を考慮した燃費推定が可能となる。【００８２】
［燃料カットの影響］
なお、上記式（２）において、燃料カットの影響によって次のいずれかの条件にあてはまる場合には、ｆｃの値を以下のようにする。
【数７】
2010116492.tif 000009
【００８３】
ここで、上記[１]は、予測される燃料消費量がアイドリング時の消費量より小さい正の値もしくは負の値になることはないという考えに基づいて規定される条件である。したがって、たとえば推定される燃料消費量がｋ1より小さい正の値もしくは負の値となった場合には、上記[１]によって推定される燃料消費量はｋ１となる。また、上記[２]および[３]は、車両の減速時における燃料消費量に関して規定される条件である。車種によっては、減速時のアクセル操作のない時は、燃料をエンジンに送り込まないものもあり、実燃費量と予測燃料消費量が異なる場合は、この条件を用いて補正すると有効な場合もある。なお、上記[１]〜[３]におけるｆｃの値は一例であり、車種などにより適宜調整される。【００８４】
この場合において、上記[２]および[３]は、条件式にｆｃが入っておらず、具体的なｆｃの値を求めることなく所定の判定をおこないたい場合に特に有効である。たとえば、推定した燃料消費量をサーバなどに送信して統計処理などをおこなう場合、ｋ1〜ｋ3の値とそれ以外の値とで分離して処理しておけば、後にｋ1〜ｋ3の値を更新するときに演算量が大幅に削減され、かつ条件式の再演算も負荷が軽減されることになる。【００８５】
（ナビゲーション装置３００による燃費予測処理）
つぎに、ナビゲーション装置３００による燃費予測処理の手順について説明する。図１１は、ナビゲーション装置３００による燃費予測処理の手順を示すフローチャートである。なお、図１１は、上述した燃料消費量の予測処理のうち、第１の方法（図４および図５参照）を示している。【００８６】
図１１のフローチャートにおいて、ナビゲーション装置３００は、まず、ユーザから指定された目的地点までの経路を探索する（ステップＳ１１０１）。経路を探索すると、ナビゲーション装置３００は、経路の平均走行速度および上記式（１）を用いて、経路全体での燃料消費量（予測燃費量）を算出して（ステップＳ１１０２）、予測した燃料消費量をディスプレイ３１３に表示する（ステップＳ１１０３）。【００８７】
ナビゲーション装置３００は、車両が走行を開始するまで待機して（ステップＳ１１０４：Ｎｏのループ）、車両が走行を開始すると（ステップＳ１１０４：Ｙｅｓ）、車両の速度情報および加速度情報を取得する（ステップＳ１１０５）。燃費予測式の補正のタイミングになるまで（ステップＳ１１０６：Ｎｏ）、ナビゲーション装置３００は、ステップＳ１１０５に戻り、速度情報および加速度情報の取得を継続する。【００８８】
補正のタイミングになると（ステップＳ１１０６：Ｙｅｓ）、ナビゲーション装置３００は、ステップＳ１１０５で取得した速度情報および加速度情報および上記式（２）を用いて、推定燃費量（これまで走行した経路における燃料消費量）を算出する（ステップＳ１１０７）。また、ナビゲーション装置３００は、ステップＳ１１０５で取得した速度情報を用いて、上記式（１）から実際の速度に基づく予測燃費量を算出する（ステップＳ１１０８）。そして、ナビゲーション装置３００は、ステップＳ１１０７で算出した推定燃費量と、ステップＳ１１０８で算出した実際の速度に基づく予測燃費量から補正係数を算出する（ステップＳ１１０９）。【００８９】
ナビゲーション装置３００は、補正係数を適用した上記式（１）から残りの経路における予測燃費量を再度算出する（ステップＳ１１１０）。そして、ステップＳ１１０７で算出した推定燃費量（これまで走行した経路における燃料消費量）と、ステップＳ１１１０で算出した残りの経路における燃料消費量を合計し、経路全体の燃料消費量としてディスプレイ３１３に表示する（ステップＳ１１１１）。なお、経路全体の燃料消費量を表示するのではなく、これまで走行した経路における燃料消費量と残りの経路における燃料消費量とを分けて表示してもよいし、これらのいずれかのみを表示してもよい。【００９０】
車両が目的地点に到達するまで（ステップＳ１１１２：Ｎｏ）、ナビゲーション装置３００は、ステップＳ１１０５に戻り、以降の処理をくり返す。そして、車両が目的地点に到達すると（ステップＳ１１１２：Ｙｅｓ）、本フローチャートによる処理を終了する。なお、本フローチャートでは、補正のタイミングで推定燃費量を算出することとしたが、走行中に随時推定燃費量を算出してもよい。【００９１】
また、上述した燃料消費量の予測処理のうち、第２の方法の場合は、ステップＳ１１０８の処理（実際の速度に基づく予測燃費量の算出）をおこなわずに、ステップＳ１１０２で予測した予測燃費量の値を用いて補正係数を算出すればよい。【００９２】
以上説明したように、ナビゲーション装置３００は、走行開始前における燃料消費量の予測に用いる数式（上記式（１））を、実際の走行時における加速度情報を用いて補正する。これにより、車両の加速度を考慮して燃料消費量を算出することが可能となり、たとえば、カーブが多い道路や傾斜が大きい道路など、加速度の変化が大きい道路を走行する場合でも精度良く燃料消費量を推定することができる。【００９３】
また、燃費予測装置１００は、車両が走行を開始した後は、車両の速度情報および加速度情報、車両が走行する道路の勾配情報を用いた上記式（２）によって燃料消費量を推定する。このため、ナビゲーション装置３００は、車両の走行速度や加速度の変化、車両にかかる位置エネルギーの変化を燃料消費量の推定値に反映させることができ、より精度良く燃料消費量を推定することができる。【００９４】
なお、本実施の形態で説明した燃費推定方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００９５】
１００  燃費予測装置
１０１  予測部
１０２  推定部
１０３  補正部
１０４  平均速度情報取得部
１０５  走行速度情報取得部
【図１】
2010116492.tif 000012
【図２】
2010116492.tif 000013
【図３】
2010116492.tif 000014
【図４】
2010116492.tif 000015
【図５】
2010116492.tif 000016
【図６】
2010116492.tif 000017
【図７】
2010116492.tif 000018
【図８】
2010116492.tif 000019
【図９】
2010116492.tif 000020
【図１０】
2010116492.tif 000021
【図１１】
2010116492.tif 000022
【図１２】
2010116492.tif 000023
【手続補正書】
【提出日】平成23年10月4日(2011.10.4)
【手続補正１】
【補正対象書類名】特許請求の範囲
【補正対象項目名】請求項９
【補正方法】変更
【補正の内容】
【請求項９】
前記予測手段は、前記第１の数式として下記式（１）を用いて前記燃料消費量を予測することを特徴とする請求項１に記載の燃費予測装置。
【数１】
2010116492.tif 000024
【国際調査報告】
2010116492.tif 000025
2010116492.tif 000026
2010116492.tif 000027
2010116492.tif 000028